(57)【要約】【課題】着用者がそのデザインの一部を好みに合わせて変更できるようにし、以て個性的なデザインを楽しむことができ、且つ、複数のデザイン変更要素を所持することにより、着用時に所望のものを選択して好みのデザインとすることが可能な履物取付用バッジを提供することを課題とする。【解決手段】互いに係合、分離可能な一対の部材７、８から成り、少なくともその一方は装飾的部材７であり、前記一対の部材７、８は、前記装飾的部材７を外側にして、履物の底部１以外の任意の個所を挟んで係合することにより、当該個所に固定可能であることを特徴とする。【選択図】図２
0003135736.tif 000002
【実用新案登録請求の範囲】
【請求項１】
互いに係合、分離可能な一対の部材から成り、少なくともその一方は装飾的部材であり、前記一対の部材は、前記装飾的部材を外側にして、履物の底部以外の任意の個所を挟んで係合することにより当該個所に固定可能であることを特徴とする履物取付用バッジ。
【請求項２】
前記一対の部材は、その一方が凸部を有し、その他方が前記凸部を受け入れて係止する凹部を有するものである請求項１に記載の履物取付用バッジ。
【請求項３】
前記一対の部材は、その一方がオネジ杆を有し、その他方が前記オネジ杆をネジ込むためのメネジ筒を有するものである請求項１に記載の履物取付用バッジ。
【請求項４】
前記一対の部材は、足掛けバンドの取付手段を兼ねる請求項１乃至３のいずれかに記載の履物取付用バッジ。
【考案の詳細な説明】
【技術分野】
【０００１】
本考案は履物取付用バッジ、より詳細には、サンダルやミュール等の比較的カジュアルなタイプの履物に、個性的なファッション性及び趣好性を付与する履物取付用バッジに関する。
【背景技術】
【０００２】
例えばサンダルやミュールは、底部と甲被及び／又は足掛けバンドを有することを基本構成されている。かかるサンダル類は、ファッション性を高め、また、着用者の趣好心を満足させるために、主に甲被やバンド部分のデザインに工夫が凝らされている。但し、その場合、着用者がその好みに合わせてそのデザインの一部を変更するようなことは予定されていない。
【０００３】
【特許文献１】実用新案登録第３０９３０２２号公報
【特許文献２】実開平１−１７８７０９号公報
【考案の開示】
【考案が解決しようとする課題】
【０００４】
上述したように、従来のサンダル類は、着用者がその好みに合わせてそのデザインの一部を変更して楽しむようなことは考えられていなかった。そこで本考案は、着用者がそのデザインの一部を好みに合わせて変更できるようにし、以て個性的なデザインを楽しむことができ、且つ、複数のデザイン変更要素を所持することにより、着用時に所望のものを選択して好みのデザインとすることが可能で、既存の履物についても使用可能な履物取付用バッジを提供することを課題とする。
【課題を解決するための手段】
【０００５】
上記課題を解決するための請求項１に記載の考案は、互いに係合、分離可能な一対の部材から成り、少なくともその一方は装飾的部材であり、前記一対の部材は、前記装飾的部材を外側にして、履物の底部以外の任意の個所を挟んで係合することにより当該個所に固定可能であることを特徴とする履物取付用バッジである。
【０００６】
例えば、前記一対の部材は、その一方が凸部を有し、その他方が前記凸部を受け入れて係止する凹部を有するものであり、あるいは、前記一対の部材は、その一方がオネジ杆を有し、その他方が前記オネジ杆をネジ込むためのメネジ筒を有するものであり、また、前記一対の部材は、足掛けバンドの取付手段を兼ねることもある。
【考案の効果】
【０００７】
本考案は上記のとおりであって、装飾性や趣好性を有する一対の部材から成るバッジであって、履物の底部以外の任意の個所を挟んで取り付けることができ、それにより、当該履物のファッション性を高め、また、着用者自らの趣向心を満足させ得る効果がある。また、一対の部材は、係合、分離可能で付け替えが容易であるので、種々のバッジを用意しておいて、付け替えによる変化を楽しむことができ、更に、既存の履物についても使用可能なる効果がある。
【考案を実施するための最良の形態】
【０００８】
本考案を実施するための最良の形態について、添付図面に依拠して説明する。図１は、本考案に係る履物取付用バッジの構成例及びサンダルへの使用例を示す側面図、図２はその平面図で、本考案に係る履物用バッジの取付対象となるサンダルは、底部１と甲被２とから成る一般的形態のもので差支えない。もちろん、底部１の他に甲被２だけのものに限らず、甲被２と共に足掛けバンド３を有するもの（図示した例）、あるいは、複数の足掛けバンド３を有するもの等であってもよい。
【０００９】
図示したタイプのサンダルの場合、足掛けバンド３の各端部５が、甲被２の開口側端縁４に止めボタンを介し、通例回動可能に取り付けられるが、その一方又は双方の端部５の止着手段として、本考案に係るバッジを用いることができる。
【００１０】
本考案にかかるバッジは係合、分離可能な一対の部材から成り、少なくとも外側に配置されることになる部材（図示した例ではオス部材７）については、装飾性、趣向性を備えた形状、模様、あるいは、色とする。図示した例では、オス部材７をハート形状としているが、勿論これに限られる訳ではない。
【００１１】
例えば、一方の部材はオス部材７とされ、他方の部材はメス部材８とされ、オス部材７は凸部７ａを有し、メス部材８は、オス部材７の凸部７ａを受け入れて係止する凹部８ａを有するものとされる（図３、４参照）。この場合、メス部材８の凹部８ａを、バンド端部５と甲被の開口側端縁４とに設けた挿通孔５ａに挿通した後、凹部８ａに凸部７ａを押し込み、凸部７ａを凹部８ａ内において係止させる。
【００１２】
凸部７ａを凹部８ａ内において係止させるために、例えば、凸部７ａにくびれ部７ｂを設けると共に先端部を球状にし、一方凹部８ａに、凸部７ａの径よりも小径の縮径部８ｂを設け、凸部７ａの先端球状部を縮径部８ｂを越えて押し込むことにより、縮径部８ｂによってくびれ部７ｂを係止させるようにする。その係止力は、オス部材７をメス部材８から強く引き抜くことによって解除可能となるように設計される。
【００１３】
オス部材７とメス部材８は、サンダルの取付けるべき個所を挟んで係合させるが、その場合、外観を装飾的形状にした方の部材、即ち、オス部材７が外側に配置される。係合に際しては、先にメス部材８の凹部８ａを、例えば、甲被２の開口側端縁４からバンド端部５にかけて穿設した挿通孔５ａに挿通し、そこに外方からオス部材７の凸部７ａを押し込んで係合させる。かくしてオス部材７とメス部材８が挿通孔５ａの周縁部を挟持した状態で合体し、そこに固定される。
【００１４】
バッジの取付個所は上記の他に、甲被２の開口を利用することができ（図１及び図２参照）、また、任意の個所に穿孔して取り付けることもできる。したがって、本考案に係るバッジは、既存の穴のある履物については、何らの加工もすることなく、直ちに使用可能となる。このことは、以下に述べる実施形態についてもいえることである。
【００１５】
一対の部材の他の構成例として、一方の部材がオネジ杆を有するものとし、他方の部材がそのオネジ杆をネジ込むためのメネジ筒を備えたものとすることができる。この場合の取付方法も、上記の場合に準じる。
【００１６】
なお、複数種のバッジを所持することにより、着用時に所望のものを選択して付け換えるという使用法が可能となる。それにより、使用者の趣向心を一層満足させ得ることになる。
【００１７】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００１８】
【図１】本考案に係る履物取付用バッジの構成例と取付方法を示す側面図である。
【図２】本考案に係る履物取付用バッジの構成例と取付方法を示す平面図である。
【図３】本考案に係る履物取付用バッジの一方の部材（外側に配置される装飾的部材）の構成例を示す図である。
【図４】本考案に係る履物取付用バッジの一方の部材（内側に配置される装飾的部材）の構成例を示す図である。
【符号の説明】
【００１９】
１    底部
２    甲被
３    足掛けバンド
４    開口側端縁
５    端部
５ａ  挿通孔
７    オス部材
７ａ  凸部
７ｂ  くびれ部
８    メス部材
８ａ  凹部
８ｂ  縮径部
【図１】
0003135736.tif 000003
【図２】
0003135736.tif 000004
【図３】
0003135736.tif 000005
【図４】
0003135736.tif 000006